(57)【要約】【課題】過去に処理された帳票が再度重複して処理されるのを未然に防止する。【解決手段】認識部で認識された帳票の所定項目情報と一致する情報が記憶部に帳票のイメージデータと関連付けられて記憶されているか否かを検索する。そして、帳票の所定項目情報と一致する情報が記憶部に帳票のイメージデータと関連付けられて記憶されていることが確認されると、警告を発する。【選択図】      図６
2006260147.tif 000002
【特許請求の範囲】
【請求項１】
郵便局，銀行等の金融機関の窓口で払込みに用いられる帳票のイメージを読取る読取部、この読取部で読取られた前記帳票のイメージデータから当該帳票に記入されている所定項目の情報を認識する認識部、この認識部で認識された前記帳票の所定項目情報と前記読取部で読取られた当該帳票のイメージデータとを関連付けて記憶する記憶部及び前記読取部で読取られた前記帳票のイメージデータを表示する表示部を備えた帳票処理装置において、
前記認識部で認識された前記帳票の所定項目情報と一致する情報が前記記憶部に前記帳票のイメージデータと関連付けられて記憶されているか否かを検索する検索手段と、
この検索手段により前記帳票の所定項目情報と一致する情報が前記記憶部に前記帳票のイメージデータと関連付けられて記憶されていることが確認されると警告を発する警告手段と、
を具備したことを特徴とする帳票処理装置。
【請求項２】
郵便局，銀行等の金融機関の窓口で払込みに用いられる帳票のイメージを読取る読取部、この読取部で読取られた前記帳票のイメージデータから当該帳票に記入されている所定項目の情報を認識する認識部、この認識部で認識された前記帳票の所定項目情報と前記読取部で読取られた当該帳票のイメージデータとを関連付けて記憶する記憶部及び前記読取部で読取られた前記帳票のイメージデータを表示する表示部を備えた帳票処理装置において、
前記認識部で認識された前記帳票の所定項目情報と一致する情報が前記記憶部に前記帳票のイメージデータと関連付けられて記憶されているか否かを検索する検索手段と、
この検索手段により前記帳票の所定項目情報と一致する情報が前記記憶部に前記帳票のイメージデータと関連付けられて記憶されていることが確認されると、この一致する情報と関連付けられて前記記憶部に記憶されている帳票のイメージデータと前記読取部で読取られ前記認識部で所定項目情報が認識された帳票のイメージデータとを比較するイメージ比較手段と、
このイメージ比較手段によるイメージデータの比較の結果、両イメージデータが一致すると判断されると警告を発する警告手段と、
を具備したことを特徴とする帳票処理装置。
【請求項３】
郵便局，銀行等の金融機関の窓口で払込みに用いられる帳票のイメージを読取る読取部、この読取部で読取られた前記帳票のイメージデータから当該帳票に記入されている所定項目の情報を認識する認識部、この認識部で認識された前記帳票の所定項目情報と前記読取部で読取られた当該帳票のイメージデータとを関連付けて記憶する記憶部及び前記読取部で読取られた前記帳票のイメージデータを表示する表示部を備えた帳票処理装置において、
前記認識部で認識された前記帳票の所定項目情報と一致する情報が前記記憶部に前記帳票のイメージデータと関連付けられて記憶されているか否かを検索する検索手段と、
この検索手段により前記帳票の所定項目情報と一致する情報が前記記憶部に前記帳票のイメージデータと関連付けられて記憶されていることが確認されると、この一致する情報と関連付けられて前記記憶部に記憶されている帳票のイメージデータと前記読取部で読取られ前記認識部で所定項目情報が認識された帳票のイメージデータとからそれぞれ前記所定項目以外の文字情報を認識して比較する文字比較手段と、
この文字比較手段による文字情報の比較の結果、両文字情報が一致すると判断されると警告を発する警告手段と、
を具備したことを特徴とする帳票処理装置。
【請求項４】
前記警告手段により警告が発せられた後、前記認識部で所定項目情報が認識された前記帳票の後処理を継続するか中止するかを選択する選択手段をさらに具備したことを特徴とする請求項１乃至３のいずれかに記載の帳票処理装置。
【請求項５】
前記警告手段は、前記読取部で読取られ前記認識部で記録情報が認識された帳票のイメージデータと、前記記憶部に記憶されている同一の記録情報と関連付けられている帳票のイメージデータとを前記表示部に表示させることで警告することを特徴とする請求項１乃至４のいずれかに記載の帳票処理装置。
【発明の詳細な説明】
【技術分野】
【０００１】
本発明は、郵便局，銀行等の金融機関の窓口で払込みに用いられる帳票、いわゆる払込票を処理する帳票処理装置に関する。
【背景技術】
【０００２】
郵便局，銀行等の金融機関の窓口で払込票と称される帳票を用いた払込みに対する処理を行う払込み処理システムにおいて、窓口端末機において窓口での対面処理を先行して行い、この窓口端末機からデータを帳票処理装置に送信し、この帳票処理装置において対面処理済帳票のイメージデータの取得及び認識処理等の後処理を後で行うようにして、対面処理に要する時間の短縮を図るようにした技術は既に知られている（例えば、特許文献１参照）。
【特許文献１】特開２００４-２８０１５０号公報
【発明の開示】
【発明が解決しようとする課題】
【０００３】
上述したように、窓口での対面処理を先行して行い、後で帳票処理装置による後処理を行う場合、従来システムでは、窓口担当者が帳票を一時的に保管し、後で保管しておいた帳票を帳票処理装置にセットして後処理を実行させることとなる。また、後処理が実行された帳票は、帳票処理装置から排出されて保管される。
【０００４】
ここで、窓口で一時的に保管され帳票処理装置での後処理がまだ行われていない帳票と、帳票処理装置での後処理が行われた後保管されている帳票とが区別されていればよいが、帳票の置忘れや勘違いなどによって後処理済の帳票がまだ処理されていない帳票として取り扱われてしまう場合があり、このような場合には同一の帳票を帳票処理装置で二度以上重複して処理してしまうという問題があった。重複処理が発生すると、この処理により確定される払込票に記入されている払込金の合計金額と、実際に窓口で払込まれた金額の合計とが一致しないという不具合が発生するおそれがある。
【０００５】
本発明は、このような事情に基づいてなされたもので、その目的とするところは、帳票の重複処理を未然に防止することができ、重複処理に伴う払込金の過不足発生を抑制できる帳票処理装置を提供しようとするものである。
【課題を解決するための手段】
【０００６】
本発明は、郵便局，銀行等の金融機関の窓口で払込みに用いられる帳票のイメージを読取る読取部、この読取部で読取られた帳票のイメージデータから当該帳票に記入されている所定項目の情報を認識する認識部、この認識部で認識された帳票の所定項目情報と読取部で読取られた当該帳票のイメージデータとを関連付けて記憶する記憶部及び読取部で読取られた帳票のイメージデータを表示する表示部を備えた帳票処理装置において、認識部で認識された帳票の所定項目情報と一致する情報が記憶部に帳票のイメージデータと関連付けられて記憶されているか否かを検索する検索手段を設ける。また、この検索手段により帳票の所定項目情報と一致する情報が記憶部に帳票のイメージデータと関連付けられて記憶されていることが確認されると警告を発する警告手段を設ける。
【０００７】
かかる手段を講じたことにより、同一の帳票が二度以上重複して処理されようとした場合には、警告が発せられる。
【発明の効果】
【０００８】
このように本発明によれば、同一の帳票が二度以上重複して処理されようとした場合には警告が発せられるので、帳票の重複処理を未然に防止することができ、重複処理に伴う払込金の過不足発生を抑制できる帳票処理装置を提供することができる。
【発明を実施するための最良の形態】
【０００９】
以下、本発明を実施するための最良の形態について、図面を用いて説明する。  
なお、この実施の形態は、２つの払込み窓口を有する金融機関での払込み処理システムに本発明を適用した場合である。
【００１０】
（第１の実施の形態）
はじめに、本発明の第１の実施の形態について説明する。  
図１は本実施の形態における払込み処理システムの概略図である。同図において、２つの払込み窓口である１番窓口及び２番窓口には、それぞれ窓口端末機１が置かれている。また、窓口の奥側には、帳票処理装置２が置かれている。
【００１１】
窓口端末機１は、キーボード１１，表示器１２及び通信インターフェイス１３を備えた小型端末機であり、払込み窓口での対面処理を行うものである。キーボード１１には、払込票３に記載されている口座番号，払込金額等の必要事項を入力するためのキーが配置されている。表示器１２には、キー入力された払込金額等が表示される。通信インターフェイス１３には、信号ケーブル５を介して帳票処理装置２が接続されており、当該窓口端末機１での対面処理で入力された帳票データが帳票処理装置２に伝送されるようになっている。
【００１２】
帳票処理装置２には、給紙カセットの装着部２１と、帳票搬送路２２とが形成されている。カセット装着部２１には給紙部２３が設けられている。帳票搬送路２２には、イメージ読取部２４と印字部２５とが設けられている。
【００１３】
カセット装着部２１には、複数の給紙カセット４が入替自在に装着される。各給紙カセット４は、それぞれ窓口で払込みに用いられた払込票３を保管するためのケースとして用いられる。
【００１４】
払込票３は、金融機関の窓口での払込みに用いられる帳票の一種であり、図２に示すように、左側部分の払込取扱票３１と右側部分の払込金受領証３２とから構成されている。
【００１５】
払込取扱票３１の左肩部分には、帳票区分３１１が数値で印刷されている。因みに、一般帳票であれば帳票区分は「０２」等であり、ＭＴ帳票であれば帳票区分は「０３」等である。ＭＴ帳票とは、後述する払込先の口座番号及び払込金額等が予め印刷されている帳票を意味する。
【００１６】
また払込取扱票３１には、払込先の口座番号３１２，払込金額３１３，払込先の氏名としての加入者名３１４の他、利用者の住所，氏名，電話番号などが記載される依頼人欄３１５と印字欄３１６が形成されている。
【００１７】
払込金受領証３２には、払込取扱票３１と同様に、通常プレ印刷されている払込み先の口座番号３２１，払込金額３２２，払込み先の氏名としての加入者名３２３の他、利用者の住所，氏名，電話番号などが記載される依頼人欄３２４と受付局日付印欄３２５が形成されている。払込金受領証３２は、窓口にて払込取扱票３１から切り離され、払込依頼者に渡される。払込金受領証３２が切り離された払込取扱票３１は、給紙カセット４に保管される。
【００１８】
帳票処理装置２の説明に戻る。  
給紙部２３は、カセット装着部２１に装着された給紙カセット４から、帳票である払込票３を１枚ずつ繰り出して搬送路２２に送り出す。イメージ読取部２４は、搬送路２２を搬送される払込票３のイメージデータを読取る。印字部２５は、搬送路２２を搬送される払込票３の印字欄３１６に所定のデータを印字する。なお、搬送路２２を搬送された払込票３は、イメージの読取り及び文字認識と所定データの印字が行われた後、図示しないストッカに排出される。ストッカは、正常ストッカと異常ストッカの２種類あり、正常な払込票として処理された払込票３は正常ストッカに排出され、異常な払込票として処理された払込票３は異常ストッカに排出される。
【００１９】
また帳票処理装置２は、キー入力部２６、表示部２７、時計部２８、記憶部２９及び各部を制御する制御部２１０を備えている。制御部２１０には、通信インターフェイス２１１，２１２が設けられており、窓口端末機１で処理され、信号ケーブル５を介して伝送される帳票データが受信されるようになっている。また制御部２１０は、イメージ読取部２４で読取られた払込票３のイメージデータから文字情報、特に帳票区分３１１，口座番号３１２及び払込金額３１３の３項目の文字情報を認識する認識部としての機能を有している。
【００２０】
キー入力部２６には、後処理キー２６１，継続キー２６２，中止キー２６３等が設けられている。これらのキー２６１〜２６３の機能については後述する。時計部２８は、現在の日付及び時刻を計時する。
【００２１】
記憶部２９には、図３に示すように、各窓口端末機１に対して固定的に設定されている端末ＩＤに対応して、その窓口端末機１で入力された払込票３の帳票区分，口座番号及び払込金額の帳票データと、その入力時刻データとを、当該払込票３のイメージデータと関連付けて記憶する帳票データテーブル２９１と、イメージ読取部２４で読取られた払込票３のイメージデータと、このイメージデータから制御部２１０で認識された帳票区分，口座番号及び払込金額の各項目データとを一時的に記憶する認識データバッファ２９２とが形成されている。
【００２２】
図４は窓口端末機１の要部構成を示すブロック図であり、各窓口端末機１は同一構成を有している。すなわち、窓口端末機１は、前記キーボード１１，表示器１２及び通信インターフェイス１３の他に、制御部本体を構成するＣＰＵ（Central Processing Unit）１４、プログラム等の固定的データが予め格納されたＲＯＭ（Read Only Memory）１５、可変的データを一時的に記憶するための種々のメモリエリアが形成されるＲＡＭ（Random Access Memory）１６及び電源スイッチ１７を備えている。そしてＣＰＵ１４に、キーボード１１，表示器１２，通信インターフェイス１３，ＲＯＭ１５及びＲＡＭ１６の各部が接続されている。
【００２３】
ＲＯＭ１５には、窓口端末機１毎に固定的に設定される端末ＩＤ１５１が予め記憶されている。
【００２４】
しかしてＣＰＵ１４は、電源スイッチ１７の投入により電源がオンされると、図５の流れ図に示す手順で対面処理を実行するようになっている。先ず、ＳＴ（ステップ）１としてＲＡＭ１６，キーボード１１，表示器１２及び通信インターフェイス１３等の初期化を行う。
【００２５】
次に、ＣＰＵ１４は、ＳＴ２として払込票３のデータ入力待ちを示すメッセージを表示器１２に表示させる。この状態で、ＳＴ３としてキーボード１１のキー操作により払込票３の帳票区分３１１が入力されたことを検知すると、ＣＰＵ１４は、ＳＴ４としてその帳票区分３１１を表示器１２に表示させる。また、ＳＴ５としてキーボード１１のキー操作により払込票３の口座番号３１２が入力されたことを検知すると、ＣＰＵ１４は、ＳＴ６としてその口座番号３１２を表示器１２に表示させる。さらに、ＳＴ７としてキーボード１１のキー操作により払込票３の払込金額３１３が入力されたことを検知すると、ＣＰＵ１４は、ＳＴ８としてその払込金額３１３を表示器１２に表示させる。
【００２６】
こうして、払込票３に記録されている帳票区分３１１，口座番号３１２及び払込金額３１３の３項目が入力されると、ＣＰＵ１４は、ＳＴ９としてこれらの入力された帳票データをＲＯＭ１５に設定されている端末ＩＤとともに信号ケーブル５を通じて帳票処理装置２に送信する。しかる後、ＣＰＵ１４は、ＳＴ７の処理に戻り、払込票３のデータ入力待ちを示すメッセージを表示器１２に再度表示させる。そして、次の払込票３のデータが入力されるのを待機する。
【００２７】
帳票処理装置２の制御部２１０は、いずれかのインターフェイス２１１，２１２に接続されている窓口端末機１から帳票データを受信すると、時計部２８で計時されている時刻を入力時刻として取得する。そして、この入力時刻データと帳票データとを、端末ＩＤとともに帳票データテーブル２９１に記憶する。この際、入力時刻が古い順に帳票データ及び入力時刻データを帳票データテーブル２９１に記憶する。
【００２８】
図６は帳票処理装置２の制御部２１０が実行する後処理キー入力処理の要部手順を示す流れ図である。すなわち制御部２１０は、キー入力部２６の後処理キー２６１が操作入力されると、ＳＴ１１としてカセット装着部２１に給紙カセット４が装着されているか否かを判断する。ここで、給紙カセット４が装着されていない場合には、表示部２７にエラーメッセージを表示させて、その後の処理を禁止する。
【００２９】
カセット装着部２１に給紙カセット４が装着されている場合には、制御部２１０は、ＳＴ１２として給紙部２３を起動させる。これにより、カセット装着部２１に装着されている給紙カセット４から払込票３が１枚ずつ繰り出されるので、制御部２１０は、ＳＴ１３として給紙部２３からのセンサ信号により払込票３が繰り出されたことを検知する毎に、ＳＴ１４としてイメージ読取部２４を動作させて、当該払込票３のイメージデータを読取らせ、認識データバッファ２９２に格納する。また、このイメージデータを解析して、当該払込票３に記録されている帳票区分３１１，口座番号３１２及び払込金額３１３の各項目欄に記入されている文字を認識する。
【００３０】
ここで、ＳＴ１５として当該払込票３に記録されている帳票区分３１１，口座番号３１２及び払込金額３１３の文字認識が正常に行われ、各データが認識データバッファ２９２に格納されたとすると、制御部２１０は、ＳＴ１６として帳票データテーブル２９３に記憶されている帳票データを先頭データ、すなわち入力時刻が古いデータから順にサーチして、認識データバッファ２９２に記憶されたデータと帳票区分３１１，口座番号３１２及び払込金額３１３が一致する帳票データの有無を判断する。そして、ＳＴ１７として認識データバッファ２９２に記憶されたデータと帳票区分３１１，口座番号３１２及び払込金額３１３が一致する帳票データを検出したならば、ＳＴ１８としてこの帳票データに関連付けられて払込票３のイメージデータが設定されているか否かを判断する（検索手段）。
【００３１】
ここでイメージデータが未設定の帳票データが検索された場合には、制御部２１０は、ＳＴ２１〜ＳＴ２３の処理を実行する。すなわち、ＳＴ２１として帳票データテーブル２９１の該当する帳票データに関連付けて、認識データバッファ２９２に記憶されているイメージデータを設定する。また、ＳＴ２２として印字部２５を動作させて搬送路２２を搬送中の払込票３の印字欄３１６に払込み金額等の所定事項を印字させる。しかる後、ＳＴ２３としてこの払込票３を正常スタッカへ排出させる。
【００３２】
これに対し、ＳＴ１８にてイメージデータが設定済の帳票データが検索された場合には、制御部２１０は、ＳＴ１９として図７に示す表示部２７の表示例のように、この帳票データに関連付けされて設定されているイメージデータ（類似帳票７１）と、認識データバッファ２９２に格納されているイメージデータ（今回処理帳票７２）とを、上下に並べて表示させる（警告手段）。このとき、図示しないブザー手段を設け、警告ブザー音が発せられるようにしてもよい。
【００３３】
しかる後、制御部２１０は、ＳＴ２０として今回処理の継続が指示されるか中止が指示されるのを待機する。ここで、キー入力部２６の継続キー２６２の操作により処理継続が指示された場合には、制御部２１０は、ＳＴ１６の処理に戻り、帳票データテーブル２９３のサーチを継続する。これに対し、キー入力部２６の中止キー２６３の操作により処理中止が指示された場合には、制御部２１０は、ＳＴ２４としてこの払込票３を異常スタッカへ排出させる。ここに、継続キー２６２及び中止キー２６３は、警告手段により警告が発せられた後、認識部で所定項目情報が認識された帳票の後処理を継続するか中止するかを選択する選択手段を構成する。
【００３４】
なお、払込票３のイメージデータから文字認識を正常に行えなかった場合、あるいは文字認識された払込票３のデータと一致する帳票データが帳票データテーブル２９１に存在しなかった場合にも、制御部２１０は、払込票３を異常スタッカへ排出させる。
【００３５】
制御部２１０は、給紙カセット４から払込票３が繰り出される毎に、上記の処理を繰り返し実行する。そして、給紙カセット４に保管されていた全ての払込票３に対して上記の処理を実行し、正常スタッカあるいは異常スタッカに排出させたならば、制御部２１０は、ＳＴ２５として給紙部２３の動作を停止させて、今回の後処理キー入力処理を終了する。
【００３６】
このような構成の払込処理システムが導入された金融機関においては、払込依頼人が窓口にて払込票３と払込金額を提出すると、窓口担当者は、窓口端末機１のキーボード１１を操作して、その払込票３に記入されている帳票区分，口座番号及び払込金額の帳票データを入力する。そうすると、この帳票データが信号ケーブル５を介して帳票処理装置２に伝送され、帳票データテーブル２９１に保存される。この時点では、当該帳票データには払込票３のイメージデータは関連付けされていない。
【００３７】
窓口担当者は、帳票区分，口座番号及び払込金額の各データを入力し終えた払込票３を、給紙カセット４に保管しておく。そして、例えば自身の窓口業務が終了したならば、対面処理を行った払込票３が保管されている給紙カセット４を持って帳票処理装置２が設置されている場所まで行き、カセット装着部２１に給紙カセット４を装着する。そして、後処理キー２６１を押下する。
【００３８】
そうすると、給紙カセット４から払込票３が１枚ずつ繰り出されて搬送路２２を搬送される。そして、イメージ読取部２４によって当該払込票３のイメージデータが読取られる。また、制御部２１０によって当該払込票３のイメージデータから、帳票区分３１１，口座番号３１２及び払込金額３１３の文字認識が行われる。当該払込票３のイメージデータと文字認識結果のデータは、認識データバッファ２９２に記憶される。
【００３９】
次いで、帳票データテーブル２９１が検索されて、文字認識結果と帳票区分，口座番号及び払込金額の３項目が一致する帳票データが存在するか否かが判断される。そして、存在する場合には、その帳票データに関連付けされて払込票３のイメージデータが記憶されているか否かが判断される。
【００４０】
その結果、文字認識結果と帳票区分，口座番号及び払込金額の３項目が一致する帳票データでかつイメージデータが関連付けされていない帳票データが検索された場合には、その帳票データは、窓口端末機１にて正当に対面処理された払込票３のデータであると判定される。そして、当該帳票データに関連付けられて、認識データバッファ２９２に記憶されているイメージデータが帳票デーテーブル２９１に保存される。また、払込票３は、正常ストッカに排出される。
【００４１】
これに対し、文字認識結果と帳票区分，口座番号及び払込金額の３項目が一致する帳票データであるが、イメージデータが既に関連付けされている帳票データが検索された場合には、図７に示すように、この帳票データに関連付けされて設定されているイメージデータ（類似帳票７１）と、認識データバッファ２９２に格納されているイメージデータ（今回処理帳票７２）とが表示部２７に並べて表示される。
【００４２】
このような事象は、過去に帳票処理装置２でイメージデータが読取られ、正常な帳票として後処理が行われた払込票と帳票区分，口座番号及び払込金額が同一の払込票３が処理された場合に発生する。このようなことは、例えば入学試験の受験料払込みのような場合に起こり得る。この場合は、通常、依頼人欄３１５に記入されている払込み依頼者が異なる。また、以前に帳票処理装置２でイメージデータが読取られ、正常な帳票として後処理が行われた払込票３が再度給紙カセット４にセットされ、帳票処理装置２にてイメージが読取られた場合にも発生する。この場合は、当然のことながら依頼人欄３１５に記入されている払込み依頼者も一致する。
【００４３】
したがって、窓口担当者あるいは帳票処理装置２のオペレータは、表示された２つの払込票のイメージ７１，７２を目視にて確認する。その結果、払込み依頼者が異なる場合には、継続キー２６２を操作する。そうすると、帳票データテーブル２９１の検索が継続される。そして、文字認識結果と帳票区分，口座番号及び払込金額の３項目が一致する帳票データでかつイメージデータが関連付けされていない帳票データが検索された場合には、当該帳票データに関連付けられて、認識データバッファ２９２に記憶されているイメージデータが帳票データテーブル２９１に保存される。また、払込票３は、正常ストッカに排出される。
【００４４】
一方、払込み依頼者も一致する場合には、中止キー２６３を操作する。そうすると、当該払込票３は異常ストッカに排出される。したがって、当該払込票３が重複して処理されるのを未然に防ぐことができる。
【００４５】
（第２の実施の形態）
次に、本発明の第２の実施の形態について説明する。  
この第２の実施の形態が前記第１の実施の形態と異なる点は、帳票処理装置２の制御部２１０が実行する後処理キー入力処理の一部である。そこで、第１の実施の形態と共通する部分には同一符号を付して詳しい説明は省略し、第１の実施の形態と異なる点についてのみ説明する。
【００４６】
図８は、第２の実施の形態における後処理キー入力処理の要部手順を示す流れ図である。第２の実施の形態においては、ＳＴ１６にて帳票データテーブル２９３に記憶されている帳票データを先頭データから順にサーチして、認識データバッファ２９２に記憶されたデータと帳票区分３１１，口座番号３１２及び払込金額３１３が一致する帳票データの有無を判断し、ＳＴ１７，ＳＴ１８にて認識データバッファ２９２に記憶されたデータと帳票区分３１１，口座番号３１２及び払込金額３１３が一致する帳票データでかつ払込票３のイメージデータが関連付けられて設定されている帳票データを検出したならば、制御部２１１は、ＳＴ３１としてこの帳票データに関連付けられて設定されているイメージデータと認識データバッファ２９２に格納されているイメージデータとを比較する（イメージ比較手段）。
【００４７】
その結果、両イメージデータの一部が一致しない場合には、例えば払込み依頼者が異なっているので、制御部２１０は、ＳＴ１６の処理に戻り、帳票データテーブル２９３のサーチを継続する。
【００４８】
これに対し、両イメージデータが一致すると判断された場合には、制御部２１０は、ＳＴ１９として図７に示す表示部２７の表示例のように、この帳票データに関連付けされて設定されているイメージデータ（類似帳票７１）と、認識データバッファ２９２に格納されているイメージデータ（今回処理帳票７２）とを、上下に並べて表示させる（警告手段）。このとき、図示しないブザー手段を設け、警告ブザー音が発せられるようにしてもよい。
【００４９】
しかる後、制御部２１０は、ＳＴ２０として今回処理の継続が指示されるか中止が指示されるのを待機する。ここで、キー入力部２６の継続キー２６２の操作により処理継続が指示された場合には、制御部２１０は、ＳＴ１６の処理に戻り、帳票データテーブル２９３のサーチを継続する。これに対し、キー入力部２６の中止キー２６３の操作により処理中止が指示された場合には、制御部２１０は、ＳＴ２４としてこの払込票３を異常スタッカへ排出させる。
【００５０】
この第２の実施の形態のように、制御部２１０の後処理キー入力処理が構成された帳票処理装置２においても、第１の実施の形態と同様に、払込票３が重複して処理されるのを未然に防ぐことができる。しかも、第２の実施の形態では、認識データバッファ２９２に記憶されたデータと帳票区分３１１，口座番号３１２及び払込金額３１３が一致する帳票データでかつ払込票３のイメージデータが関連付けられて設定されている帳票データを検出した場合でも、この帳票データに関連付けられて設定されているイメージデータと認識データバッファ２９２に格納されているイメージデータとを比較し、一致した場合のみ警告表示するようにしたので、帳票区分，口座番号及び払込金額の３項目が一致するが、払込み依頼者が異なるような場合には警告が発せられるのを防ぐことができる。その結果、第１の実施の形態のものと比較して処理効率を向上できる効果を奏する。
【００５１】
（第３の実施の形態）
次に、本発明の第３の実施の形態について説明する。  
この第３の実施の形態も、帳票処理装置２の制御部２１０が実行する後処理キー入力処理の一部が第１の実施の形態と異なる。そこで、第１の実施の形態と共通する部分には同一符号を付して詳しい説明は省略し、第１の実施の形態と異なる点についてのみ説明する。
【００５２】
図９は、第３の実施の形態における後処理キー入力処理の要部手順を示す流れ図である。第３の実施の形態においては、ＳＴ１６にて帳票データテーブル２９３に記憶されている帳票データを先頭データから順にサーチして、認識データバッファ２９２に記憶されたデータと帳票区分３１１，口座番号３１２及び払込金額３１３が一致する帳票データの有無を判断し、ＳＴ１７，ＳＴ１８にて認識データバッファ２９２に記憶されたデータと帳票区分３１１，口座番号３１２及び払込金額３１３が一致する帳票データでかつ払込票３のイメージデータが関連付けられて設定されている帳票データを検出したならば、制御部２１１は、ＳＴ４１としてこの帳票データに関連付けられて設定されているイメージデータから依頼人欄３１５に記入されている文字を認識する。また、認識データバッファ２９２に格納されているイメージデータから同じく依頼人欄３１５に記入されている文字を認識する。そして、両イメージデータから認識された依頼人欄３１５の文字を比較する（文字比較手段）。
【００５３】
その結果、両依頼人欄３１５の文字が一致しない場合には、払込み依頼者が異なっているので、制御部２１０は、ＳＴ１６の処理に戻り、帳票データテーブル２９３のサーチを継続する。
【００５４】
これに対し、両依頼人欄３１５の文字が一致すると判断された場合には、制御部２１０は、ＳＴ１９として図７に示す表示部２７の表示例のように、この帳票データに関連付けされて設定されているイメージデータ（類似帳票７１）と、認識データバッファ２９２に格納されているイメージデータ（今回処理帳票７２）とを、上下に並べて表示させる（警告手段）。このとき、図示しないブザー手段を設け、警告ブザー音が発せられるようにしてもよい。
【００５５】
しかる後、制御部２１０は、ＳＴ２０として今回処理の継続が指示されるか中止が指示されるのを待機する。ここで、キー入力部２６の継続キー２６２の操作により処理継続が指示された場合には、制御部２１０は、ＳＴ１６の処理に戻り、帳票データテーブル２９３のサーチを継続する。これに対し、キー入力部２６の中止キー２６３の操作により処理中止が指示された場合には、制御部２１０は、ＳＴ２４としてこの払込票３を異常スタッカへ排出させる。
【００５６】
この第３の実施の形態のように、制御部２１０の後処理キー入力処理が構成された帳票処理装置２においても、第１の実施の形態と同様に、払込票３の重複処理を未然に防ぐことができる。しかも、第３の実施の形態では、認識データバッファ２９２に記憶されたデータと帳票区分３１１，口座番号３１２及び払込金額３１３が一致する帳票データでかつ払込票３のイメージデータが関連付けられて設定されている帳票データを検出した場合でも、この帳票データに関連付けられて設定されているイメージデータから認識した依頼人欄３１５の文字と認識データバッファ２９２に格納されているイメージデータから認識した依頼人欄３１５の文字とを比較し、一致した場合のみ警告表示するようにしたので、帳票区分，口座番号及び払込金額の３項目が一致するが、払込み依頼者が異なるような場合には警告が発せられるのを防ぐことができる。その結果、第１の実施の形態のものと比較して処理効率を向上できる効果を奏する。
【００５７】
なお、この発明は前記各実施形態そのままに限定されるものではなく、実施段階ではその要旨を逸脱しない範囲で構成要素を変形して具体化できる。
【００５８】
例えば、前記実施の形態では、窓口端末機１にて入力する払込票３のデータ項目を帳票ＩＤ，口座番号及び払込み金額の３項目としたが、入力項目はこれに限定されるものではなく、例えば帳票ＩＤの入力を省略してもよい。また、入力する順番も前記実施の形態の順番に限定されないのは言うまでもないことである。また、窓口端末機１と帳票処理装置２との間のデータ通信方式は、有線通信に限定されるものではなく、電波，赤外線等を利用した無線通信であってもよい。
【００５９】
また、前記実施の形態では、類似帳票７１と今回処理帳票７２とを上下に並べて表示させることで警告したが、左右に並べて表示させることで警告してもよい。また、類似帳票７１と今回処理帳票７２とを交互に表示させて警告することも可能である。また、第３の実施の形態の場合、両イメージデータから認識された文字を全て対応させて表示させることで警告してもよい。
【００６０】
また、前記実施の形態では、帳票データテーブル２９１を検索する際に入力時刻データが古いデータから順に検索したが、逆に入力時刻データが新しいデータから順に検索してもよい。窓口では払込依頼者から受け取った払込票３が給紙カセット４に積み重ねられるので、帳票処理装置２では、後から受け付けた払込票３の方が先に給紙カセット４から繰り出される。したがって、入力時刻データが新しいデータから順に検索することによって、該当する帳票データを検索するのに要する時間を短縮でき、処理効率の向上を図ることができる。
【００６１】
また、前記実施の形態では、窓口端末機１から払込票３の口座番号，払込金額等のデータを入力したが、帳票処理装置２のキー入力部２６から当該データを入力するようにして、窓口端末機１を省略してもよい。また、払込票３の口座番号，払込金額等のデータ入力を行わず、イメージ読取部２４で読取った払込票３のイメージデータから制御部２１０で認識された払込票３の口座番号，払込金額等のデータを、当該イメージデータとともに帳票データファイル２９１に保存する形式の帳票処理装置に対しても、本発明を適用できるものである。
【００６２】
また、前記実施の形態では、窓口にて払込取扱票３１から払込金受領証３２を切り離したが、窓口端末機１にプリンタを設け、対面処理の中で受領証を印字発行するように構成することによって、払込取扱票３１から払込金受領証３２を切り離さずに紙カセット４に保管し、帳票処理装置２にて後処理を行わせるようにしてもよい。
【００６３】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６４】
【図１】本発明の一実施の形態である払込み処理システムの全体構成を示す模式図。
【図２】本実施の形態で使用される払込票の平面図。
【図３】本実施の形態における帳票処理装置の記憶部に形成される主要なメモリエリアを示す模式図。
【図４】本実施の形態における窓口端末機の要部構成を示すブロック図。
【図５】本実施の形態において窓口端末機のＣＰＵが実行するメイン処理の要部を示す流れ図。
【図６】本実施の形態において帳票処理装置の制御部が実行する後処理キー処理の要部を示す流れ図。
【図７】本実施の形態において帳票処理装置の表示部に表示される帳票イメージデータの一例を示す平面図。
【図８】本発明の第２の実施の形態において帳票処理装置の制御部が実行する後処理キー処理の要部を示す流れ図。
【図９】本発明の第３の実施の形態において帳票処理装置の制御部が実行する後処理キー処理の要部を示す流れ図。
【符号の説明】
【００６５】
１…窓口端末機、２…帳票処理装置、３…払込票、４…給紙カセット、２３…給紙部、２４…イメージ読取部、２５…印字部、２６…キー入力部、２７…表示部、２８…時計部、２９…記憶部、２１０…制御部、２９１…帳票データテーブル、２９２…認識データバッファ。
【図１】
2006260147.tif 000003
【図２】
2006260147.tif 000004
【図３】
2006260147.tif 000005
【図４】
2006260147.tif 000006
【図５】
2006260147.tif 000007
【図６】
2006260147.tif 000008
【図７】
2006260147.tif 000009
【図８】
2006260147.tif 000010
【図９】
2006260147.tif 000011